(57)【要約】【課題】電槽の蓋に取り付けられたブッシングの基部と該基部の周囲の樹脂との間に生じた隙間を通して上昇した電解液がブッシングの端子部に達して端子部を変色させるおそれをなくした鉛蓄電池を提供する。【解決手段】基部１ａと基部１ａの上端から上方に突出して伸びる端子部１ｂと端子部１ｂと基部１ａとの境界部に設けられた端子座１ｃとを有して、基部１ａが鉛蓄電池の電槽の蓋２に埋め込んで取り付けられたブッシング１の端子座１ｃの上面に、端子部１ｂの下端を同心的に取り囲む環状の突条部１c1を形成した。突条部１c1の内径を、端子部１ｂの基部に嵌合されて取り付けられるリング状端子金具４の外径以上に設定し、端子部１ｂの下端と突条部１c1との間にリング状端子金具を収容するための環状の溝１c2を形成した。【選択図】    図３
2008166026.tif 000002
【特許請求の範囲】
【請求項１】
正極出力端子及び負極出力端子金具をそれぞれ構成する鉛または鉛合金製の一対のブッシングが電槽の蓋に取り付けられ、各ブッシングは前記電槽の蓋に埋め込まれて支持された基部と該基部の上端から上方に突出して伸びる截頭円錐状の端子部と該端子部と前記基部との境界部に設けられた鍔板状の端子座とを一体に有し、各ブッシングの端子部の下端の外周に、電池電圧が印加される付属ユニットにつながるリング状端子金具が嵌合される鉛蓄電池において、
前記各ブッシングの端子座の上面に前記端子部の下端を同心的に取り囲む環状の突条部が形成され、
前記突条部の内径は前記リング状端子金具の外径以上に設定されていて、前記端子部の下端と前記突条部との間に前記リング状端子金具を収容するための環状の溝が形成されていること、
を特徴とする鉛蓄電池。
【請求項２】
前記付属ユニットは、電池の状態を監視するために前記電槽の蓋に取り付けられる電池状態監視装置である請求項１に記載の鉛蓄電池。
【請求項３】
前記環状の突条部と端子部の下部との間に形成された溝内に前記リング状端子金具が収容されて、該リング状端子金具が前記溝内に注入されて硬化された樹脂により被覆されていることを特徴とする請求項１または２に記載の鉛蓄電池。
【発明の詳細な説明】
【技術分野】
【０００１】
本発明は、正極板及び負極板をセパレータを介して積層した構造を有する極板群を、電解液とともに電槽内に収容した構造を有する鉛蓄電池に関するものである。
【背景技術】
【０００２】
鉛蓄電池においては、正極板及び負極板をセパレータを介して積層した極板群が、電解液とともに電槽内に収容され、正極出力端子及び負極出力端子をそれぞれ構成する鉛または鉛合金製の一対のブッシングが電槽の蓋に取り付けられる。図５に示されているように、各ブッシング１′は、電槽の蓋２に設けられたボス部２ａ内に埋め込まれて支持された基部１ａ′と、該基部の上端から上方に突出して伸びる截頭円錐状の端子部１ｂ′と、該端子部と基部との境界部に設けられた鍔板状の端子座１ｃ′とを一体に有している。図示の例では、ブッシングの軸線方向に間隔をあけて並ぶ複数の円盤状の突起１a1′が基部１ａ′の外周に設けられ、該突起１a1′が電槽の蓋を構成する樹脂中に埋設されている。ブッシング１′は、電槽の蓋２を成形する際に蓋２のボス部内に鋳込まれて取り付けられる。正極出力端子及び負極出力端子をそれぞれ構成するブッシング１′の基部は、電槽内に収容された極板群の正極板の耳部どうし及び負極板の耳部どうしをそれぞれ接続している正極ストラップ及び負極ストラップに設けられた極柱３に接続されている。この種のブッシングは例えば、特許文献１に示されている。
【０００３】
鉛蓄電池の電槽には、電池電圧が印加される電池付属ユニットが取り付けられることがある。例えば、特許文献２に示された鉛蓄電池では、電池状態監視ユニットが電槽の蓋に取り付けられている。電池状態監視ユニット等の電池電圧が印加される電池付属ユニットを電槽の蓋に取り付ける場合には、付属ユニットにつながる接続導体をブッシングに接続する手段として、ブッシングの端子部１ｂの下端の外周に嵌合されるリング状の端子金具４を用いることが多い。端子金具４にはリード状の接続導体５の一端が接続され、接続導体５の他端が付属ユニット（図５には図示せず。）に接続される。
【特許文献１】特開平１１−１３５０８６号公報
【特許文献２】特開２００５−１６４６０４号公報
【発明の開示】
【発明が解決しようとする課題】
【０００４】
電槽の蓋にブッシングの基部を鋳込んだ状態で取り付けた鉛蓄電池においては、蓋を成形する際の湯流れの悪さなどにより、ブッシング１′の基部１ａ′と該基部の周囲を囲む樹脂との間に隙間が形成されることがある。ブッシングの基部とその周囲の樹脂との間に隙間が形成されると、その隙間を通して電解液が上昇してブッシングの端子座１ｃ′の上面に達し、端子座１ｃ′の上面に達した電解液が更に端子部１ｂ′の下端付近に達することがある。このように電解液が上昇してブッシングの端子部に達すると、端子部１ｂ′が変色したり、ブッシングの端子部の下端に嵌合されたリング状端子金具４が腐食したりすることがあるため、好ましくない。
【０００５】
本発明の目的は、ブッシングの基部とその周囲の樹脂との間に隙間が形成されて電解液が上昇した際に、ブッシングの端子部まで電解液が達するのを阻止して、ブッシングの端子部の変色や、該端子部に嵌合された端子金具の腐食を防ぐことができるようにした鉛蓄電池を提供することにある。
【課題を解決するための手段】
【０００６】
本発明が対象とする鉛蓄電池においては、正極出力端子及び負極出力端子をそれぞれ構成する鉛または鉛合金製の一対のブッシングが電槽の蓋に取り付けられている。各ブッシングは電槽の蓋に埋め込まれて支持された基部と該基部の上端から上方に突出して伸びる截頭円錐状の端子部と該端子部と基部との境界部に設けられた鍔板状の端子座とを一体に有し、各ブッシングの端子部の下端の外周に、電池電圧が印加される付属ユニットにつながるリング状端子金具が嵌合される。
【０００７】
本発明においては、各ブッシングの端子座の上面に端子部の下端を同心的に取り囲む環状の突条部が形成されている。突条部の内径はリング状端子金具の外径以上に設定されていて、端子部の下端と突条部との間にリング状端子金具を収容するための環状の溝が形成されている。
【０００８】
上記のように、各ブッシングの端子座の上面に端子部の下端を同心的に取り囲む環状の突条部を形成しておくと、ブッシングの基部とその周囲の樹脂との間に隙間が形成されたとしても、該突条部により、ブッシングの基部とその周囲の樹脂との間の隙間を通して上昇した電解液がブッシングの端子部に達するのを阻止することができるため、ブッシングの端子部が変色したり、該端子部に嵌合された端子金具が腐食したりするのを防ぐことができる。
【０００９】
上記付属ユニットは例えば、電池の状態を監視するために電槽の蓋に取り付けられる電池状態監視装置である。
【００１０】
本発明の好ましい態様では、上記環状の突条部と端子部の下部との間に形成された溝内にリング状端子金具が収容されて、該リング状端子金具が溝内に注入されて硬化された樹脂により被覆される。
【００１１】
上記のように構成すると、リング状端子金具が電解液により腐食するのを確実に防ぐことができる。
【発明の効果】
【００１２】
以上のように、本発明によれば、各ブッシングの端子座の上面に端子部の下端を同心的に取り囲む環状の突条部を形成したので、ブッシングの基部とその周囲の樹脂との間に隙間が形成されたとしても、該突条部により、ブッシングの基部とその周囲の樹脂との間に形成された隙間を通して上昇した電解液がブッシングの端子部の下部に嵌合されたリング状端子金具及びブッシングの端子部に達するのを阻止することができる。そのため、ブッシングの端子部に電解液が触れて該端子部が変色したり、該端子部に嵌合されたリング状端子金具が腐食したりするのを防ぐことができる。
【００１３】
特に請求項３に記載された発明によれば、環状の突条部と端子部の下部との間に形成された溝内にリング状端子金具を収容して、該リング状端子金具を溝内に注入した樹脂により被覆するようにしたので、リング状端子金具が電解液により腐食するのを確実に防ぐことができる。
【発明を実施するための最良の形態】
【００１４】
以下図１ないし図４を参照して本発明の好ましい実施形態を説明する。図１は本発明の一実施形態においてリング状端子金具を取り付ける前の状態を示す要部の縦断面図、図２は同実施形態で用いるブッシングの上面図、図３は本実施形態において、ブッシングにリング状端子金具を取り付けた状態を示した要部の縦断面図、図４は本実施形態に係わる鉛蓄電池全体の上面図である。
【００１５】
図１ないし図３において、１は正極出力端子または負極出力端子を構成するために電槽の蓋２に取り付けられたブッシングで、正極出力端子用ブッシング及び負極出力端子用ブッシングは同一に構成されている。各ブッシング１は、電槽の蓋２に設けられたボス部２ａ内に埋め込まれて支持された基部１ａと、該基部の上端から上方に突出して伸びる截頭円錐状の端子部１ｂと、該端子部と基部との境界部に設けられた鍔板状の端子座１ｃとを一体に有している。図示の例では、ブッシングの軸線方向に間隔をあけて並ぶ複数の円盤状の突起１a1が基部１ａの外周に設けられ、該突起１a1が電槽の蓋を構成する樹脂中に埋設されている。ブッシング１は、電槽の蓋２を成形する際に蓋２のボス部内に鋳込まれて取り付けられ、突起１a1、１a1の間及び最上部の突起１a1と端子座１ｃとの間にはボス部２ａを構成する樹脂が充填されている。
【００１６】
なお図示の例では、ブッシングの基部の外周に、ブッシングの軸線方向に並ぶ円盤状の突起１a1が２個設けられているが、突起１a1の数は任意であり、突起の数を１つだけとしたり、更に多くの突起を設けたりすることもできる。突起１a1が設けられていると、ブッシングの基部１ａとその周囲の樹脂との間に隙間が形成されたときに、該隙間を通して上昇する電解液の流路の沿面距離を長くすることができるため、電解液の漏出を防ぐ上で有利であるが、ブッシングの基部とその周囲の樹脂との間に隙間が形成されるおそれがない場合には、突起１a1を省略することもできる。
【００１７】
図４に示したように、電池の電槽６が直方体状に構成される場合、電池の正極出力端子及び負極出力端子を構成するブッシング１，１は電槽６の蓋２の幅方向の一端寄りに片寄せた状態で蓋２の長さ方向の両端部付近に配置されている。図４において７は電槽内に設けられた６つのセル室のそれぞれの上端に設けられた液口栓である。各セル室内には正極板と負極板とをセパレータを介して積層して構成した極板群が電解液とともに収納され、電槽の長手方向の一端側に配置されたセル室内の極板群の正極板の耳部どうしを接続しているストラップに設けられた極柱３が、電槽の長手方向の一端側に取り付けられたブッシング１の基部１ａに接続されている。また電槽の長手方向の他端側に配置されたセル室内の極板群の負極板の耳部どうしを接続しているストラップに設けられた極柱３が、電槽の長手方向の他端側に取り付けられたブッシング１の基部１ａに接続され、電槽６と、その内部に電解液とともに収容された極板群と、ブッシング１，１とにより、鉛蓄電池が構成されている。図４に示された左右のブッシング１，１の内、一方は正極出力端子を構成するブッシングであり、他方は負極出力端子を構成するブッシングである。
【００１８】
図示の例では、鉛蓄電池の電槽の蓋２に電池状態監視ユニット８が電池付属ユニットとして取り付けられている。電池状態監視ユニット８は電池の放電電気量及び充電電気量を経時的に記憶したり、電池の残存容量を判定したりする手段を備えて、電池の使用状態の履歴を記録したり、充電の必要があることを警告したりするユニットで、電池電圧が印加される正負の入力端子と、該入力端子間に印加された電圧を検知して電池の状態や使用状況を判定するために必要な各種の手段を構成するマイクロコンピュータとを備えている。監視ユニット８の構成要素は、絶縁樹脂の成型品からなっていて耐候性を有する外装内に収容されている。電池状態監視ユニット８は、電槽２の蓋の上に載せられるか、または電槽２の蓋に設けられた凹部内に嵌合された状態で、接着などの適宜の手段により電槽の蓋２に固定されている。図４において、８ａは、電池の残存容量などの各種の情報を表示するために電池状態監視ユニット８の外装に外部から視認できる状態で設けられた表示部、８ｂは監視装置をオンオフするためのスイッチである。
【００１９】
電池状態監視ユニット８の正負の入力端子からリード状の接続導体５，５が導出され、これらの接続導体５，５のそれぞれの先端に取り付けられたリング状端子金具４，４が、対応するブッシング１，１の端子部１ｂ，１ｂの下端に嵌合されている。
【００２０】
本発明においては、各ブッシング１の端子座１ｃの上面に端子部１ｂの下端を同心的に取り囲む環状の突条部１c1が形成されている。突条部１c1の内径は、ブッシングの端子部１ｂの下端に嵌合されて端子座１ｃの上面に当接されるリング状端子金具４の外径以上に設定されていて、端子部１ｂの下端と突条部１c1との間にリング状端子金具４を収容するための環状の溝１c2が形成されている。ブッシングの端子部１ｂに嵌合されたリング状端子金具４は、環状の溝１c2内に押し込まれた状態で配置されている。
【００２１】
上記のように、各ブッシング１の端子座１ｃの上面に端子部の下端を同心的に取り囲む環状の突条部１c1を形成しておくと、万一ブッシングの基部とその周囲の樹脂との間に隙間が形成されて、その隙間を通して電解液が上昇したとしても、上昇した電解液は、突条部１c1により阻止されて、リング状端子金具４及びブッシングの端子部１ｂに達することができない。そのため、上記のように構成すると、ブッシングの端子部１ｂに電解液が触れて該端子部が変色したり、該端子部に嵌合されたリング状端子金具４が腐食したりするのを防ぐことができる。
【００２２】
リング状端子金具の腐食を確実に防止するためには、環状の突条部１c1と端子部の下部との間に形成された溝１c2内にリング状端子金具４を収容した後、溝１c2内に熱硬化性樹脂を注入して、該樹脂によりリング状端子金具４を被覆する（リング状端子金具４を溝１c2内に注入した樹脂内に埋設する）ようにするのが好ましい。
【図面の簡単な説明】
【００２３】
【図１】図１は本発明の一実施形態においてリング状端子金具を取り付ける前の状態を示す要部の縦断面図である。
【図２】図２は同実施形態で用いるブッシングの上面図である。
【図３】図３は本実施形態において、ブッシングにリング状端子金具を取り付けた状態を示した要部の縦断面図である。
【図４】図４は本実施形態に係わる鉛蓄電池全体の上面図である。
【図５】従来の鉛蓄電池の要部の構成例を示した縦断面図である。
【符号の説明】
【００２４】
１  ブッシング
１ａ  基部
１ｂ  端子部
１ｃ  端子座
１c1  突条部
２  電槽の蓋
４  リング状端子金具
５  接続導体
６  電槽
８  電池状態監視ユニット（電池の付属ユニット）
【図１】
2008166026.tif 000003
【図２】
2008166026.tif 000004
【図３】
2008166026.tif 000005
【図４】
2008166026.tif 000006
【図５】
2008166026.tif 000007